(57)【要約】【課題】  光源の色彩の種類を減少させて、しかも、前記文字板に印刷される調光用印刷層の形成工程を簡略化することにより、製造コストの上昇を抑制出来、３色の表示部の色分けが可能な計器の文字板照明構造を提供する。【解決手段】  文字板１１の裏面側に設けられた一の照明室１３内に、白色発光ＬＥＤ１４…と、橙色発光ＬＥＤ１５…とを配置し、白色発光ＬＥＤ１４…を、文字板１１の表示部のうち、赤色波長領域を透過する赤色印刷塗装層Ｆからなるレッドゾーン部８の裏面側に位置させると共に、橙色発光ＬＥＤ１５…を、文字板１１の表示部のうち、赤色波長領域を透過する赤色印刷塗装層Ｆを有するリング状照明表示部１６の裏面側及び、橙色波長領域を透過する橙色印刷塗装層Ｃを有する目盛部１２の一般部１２ａの裏面側に位置させる。【選択図】  図１
2005257292.tif 000002
【特許請求の範囲】
【請求項１】
文字板の裏面側に設けられた光源の照明光を、該文字板の裏面側から透過させることにより、該文字板に設けられた表示部を照明する計器の文字板照明構造であって、
前記文字板の裏面側に設けられた一の照明室内に、白色発光光源と、橙色発光光源とを配置し、前記白色発光光源を、前記文字板の表示部のうち、赤色波長領域を透過する赤色印刷塗装層の裏面側に位置させると共に、前記橙色発光光源を、前記文字板の表示部のうち、赤色波長領域を透過する赤色印刷塗装層の裏面側及び、橙色波長領域を透過する橙色印刷塗装層の裏面側に位置させることを特徴とする計器の文字板照明構造。
【発明の詳細な説明】
【技術分野】
【０００１】
本発明は、車両用の計器の文字板照明構造に関し、特に、文字板の表示部に、３色の色彩を与えることが出来る計器の文字板照明構造に関するものである。
【背景技術】
【０００２】
従来の計器の文字板照明構造として、図７及び図８に示すようなものが知られている（例えば、特許文献１等参照）。
【０００３】
まず、構成から説明するとこのような従来の計器の文字板照明構造では、計器としての車両用メータ１の表面側には、目盛部３が印刷された文字板２が設けられている。
【０００４】
この文字板２は、主に、透明な基材５の表面側及び裏面側に、複数の光源４…からの照明光を透過又は不透過とする印刷層６，７が設けられている。
【０００５】
次に、この従来の計器の文字板照明構造の作用について説明する。
【０００６】
このように構成された従来の計器の文字板照明構造では、この文字板２の裏面側に設けられた複数の光源４…を点灯すると、前記印刷層６，７によって、これらの照明光は、透過又は、不透過となり、文字及び前記目盛部３等の表示部の輪郭が、高いコントラストを有して、車室内側から視認される。
【特許文献１】特開２００２−１４８０７９号公報（図２，図５，００１７段落乃至００５３段落）
【発明の開示】
【発明が解決しようとする課題】
【０００７】
しかしながら、このような従来の計器の文字板照明構造では、例えば、黄色、橙色、赤色の３色の異なる色彩を有する有色発光ＬＥＤを光源として用いて、これらの有色発光ＬＥＤの透過照明光によって、表示部を色分けして、バックライト照明を行おうとすると、図４に示すように、前記３色の照明色では、波長領域分布の相互に重複する部分が、殆ど無い。
【０００８】
このため、他の色彩がぼやけて見えないように、３色の照明色に相応して、相互に独立形成される照明室を形成し、これらの照明室内に各々発光色の異なる３種の有色発光ＬＥＤを配置する必要があった。
【０００９】
従って、エンジン或いは車種違いで、文字板２の表示部を変更する場合には、前記独立形成される照明室を作り直さなければならなかった。
【００１０】
また、図５中実線で示すように、比較的、広い波長領域分布を有する白色発光ＬＥＤを光源として用いて、３色の異なる色彩の表示部を構成しようとすると、前記文字板２に異なる透過色を有する調光用印刷層を、表示色毎に３種類設けて、調光しなければならなかった。
【００１１】
このため、製造工程数が増大すると共に、例えば、前記文字板２の略全面のバックライト照明を行う場合等では、比較的高価な白色発光ＬＥＤを多数用いければならず、何れの場合も製造コストが増大してしまう虞があった。
【００１２】
そこで、本発明は、光源の色彩の種類を減少させて、しかも、前記文字板に印刷される調光用印刷層の形成工程を簡略化することにより、製造コストの上昇を抑制出来、３色の表示部の色分けが可能な計器の文字板照明構造を提供することを目的としている。
【課題を解決するための手段】
【００１３】
前記目的を達成するために、請求項１の発明は、文字板の裏面側に設けられた光源の照明光を、該文字板の裏面側から透過させることにより、該文字板に設けられた表示部を照明する計器の文字板照明構造であって、前記文字板の裏面側に設けられた一の照明室内に、白色発光光源と、橙色発光光源とを配置し、前記白色発光光源を、前記文字板の表示部のうち、赤色波長領域を透過する赤色印刷塗装層の裏面側に位置させると共に、前記橙色発光光源を、前記文字板の表示部のうち、赤色波長領域を透過する赤色印刷塗装層の裏面側及び、橙色波長領域を透過する橙色印刷塗装層の裏面側に位置させる計器の文字板照明構造を特徴としている。
【発明の効果】
【００１４】
このように構成された請求項１のものは、前記文字板の表示部のうち、前記赤色印刷塗装層の裏面側に位置する前記白色発光光源からの照明光が、該赤色印刷塗装層を通過する際に、赤色波長領域を透過させて、赤色となる。
【００１５】
また、前記文字板の表示部のうち、前記赤色印刷塗装層の裏面側に位置する前記橙色発光光源からの照明光が、赤色印刷塗装層を通過する際に、赤色波長領域を透過させる。
【００１６】
該橙色発光光源からの照明光は、赤色と認識される波長を殆ど含まないため、前記赤色とは、明らかに区別出来る赤橙色となる。
【００１７】
更に、前記文字板の表示部のうち、前記橙色印刷塗装層の裏面側に位置する前記橙色発光光源からの照明光が、橙色印刷塗装層を通過する際に、橙色波長領域を透過させて橙色となる。
【００１８】
このため、光源の色彩の種類を、前記白色発光光源及び橙色発光光源の２種類に減少させて、しかも、前記文字板に印刷される調光用印刷層の形成工程も、前記赤色印刷塗装層及び橙色印刷塗装層の２色の塗装層を形成する工程のみの簡略化されたものとすることにより、製造コストの上昇を抑制出来る。
【００１９】
また、前記白色発光光源として、全て、白色発光ＬＥＤを用いるものに比して、比較的安価な橙色発光ＬＥＤを用いて、白色発光ＬＥＤの数量を減少させることができる。従って、この点においても、製造コストの上昇を抑制することが出来る。
【００２０】
従って、更に、安価に構成出来、３色の表示部の色分けが可能な計器の文字板照明構造が提供される。
【発明を実施するための最良の形態】
【００２１】
以下、本発明の最良の実施の形態について図面を参照して説明する。
【００２２】
なお、前記従来例と同一乃至均等な部分については、同一符号を付して説明する。
【００２３】
図１乃至図３は、本実施の形態による計器の文字板照明構造を示している。
【００２４】
まず、構成から説明すると、このような本実施の形態の計器の文字板照明構造では、計器としての車両用メータ１０の文字板１１が、主に、無色透明の基材５の表面側５ａ及び裏面側５ｂに、各々複数層の印刷層Ｈ〜Ｎ及びＡ〜Ｇが、施されて、表示部の一部を構成する目盛部１２が、外周縁に沿わせて形成されて、主に構成されるようにしている。
【００２５】
このうち、目盛部１２は、目盛部１２の橙色に塗装された橙色塗装層Ｃ（図２，３中印刷イ部分）からなる一般部１２ａと、開始点８ａを挟んで連設されて、この一般部１２ａと色彩を異ならせることによって区別され、一定回転数以上を示す領域が、印刷された赤色印刷塗装層Ｆ，及びピンク色印刷塗装層Ｇ（図２，３中印刷ロ部分）を有するレッドゾーン部８とを有して、主に構成されている。
【００２６】
更に、この実施の形態の文字板１１には、指針９の軸部９ａが挿通される軸部開口１１ａの周縁に、表示部の一部として、一定の幅を有する円環状のリング状照明表示部１６が設けられている。
【００２７】
このリング状照明表示部１６は、前記目盛部１２のレッドゾーン部８と、同一の赤色に塗装された赤色塗装層Ｆ（図２，３中印刷ロ部分）から構成されていて、前記レッドゾーン部８を、前記基材５の裏面側５ｂに、赤色塗装層Ｆを印刷することにより、形成する際に、同じ赤色インクによって、同時に印刷されて構成されている。
【００２８】
これらの文字板１１に設けられた目盛部１２及び前記リング状照明表示部１６では、この文字板１１の裏面側に設けられた一の照明室１３内に設けられる複数の白色発光光源としての白色発光ＬＥＤ１４…及び橙色発光光源としての橙色発光ＬＥＤ１５…の照明光が、透過されることにより、この文字板１１が、裏面側から、バックライト照明されるように構成されている。
【００２９】
すなわち、前記白色発光ＬＥＤ１４…が、前記文字板１１の目盛部１２のうち、前記レッドゾーン部８の裏面側に位置するように配置されている。
【００３０】
このため、赤色波長領域を透過する前記赤色印刷塗装層Ｆの裏面側に位置された前記白色発光ＬＥＤ１４…が、白色に発光して、文字板１１の裏面側から、この照明光を透過させると、文字板２の表面側では、この照明光が、該赤色印刷塗装層Ｆを通過する際に、赤色波長領域を透過させて、レッドゾーン部８の目盛表示を赤色として、車室内の乗員に視認させるように構成されている。
【００３１】
また、この実施の形態では、前記橙色発光ＬＥＤ１５…が、前記目盛部１２の一般部１２ａ及び、前記リング状照明表示部１６の裏面側に位置されて、前記レッドゾーン部８を除く、この文字板１１の略全面を略均等に裏面側から照明可能なように、分散されて配置されている。
【００３２】
このうち、橙色波長領域を透過する前記橙色印刷塗装層Ｃの裏面側に位置された前記橙色発光ＬＥＤ１５…が、橙色に発光して、文字板１１の裏面側から、この照明光を、透過させると、橙色波長領域で透過されて、橙色となる。
【００３３】
このため、文字板１１の表面側では、この照明光によって、車室内の乗員に、橙色の目盛部１２の一般部１２ａが、橙色に発光しているように視認される構成としている。
【００３４】
また、赤色波長領域を透過する前記赤色印刷塗装層Ｆの裏面側に位置された前記橙色発光ＬＥＤ１５…が、橙色に発光して、文字板１１の裏面側から、この照明光を、透過させると、橙色波長領域で透過される際、赤色と認識される波長を殆ど含まないので、赤橙色となる。
【００３５】
このため、文字板１１の表面側では、この照明光によって、前記リング状照明表示部１６が、赤橙色に発光しているように車室内の乗員に、視認される構成としている。
【００３６】
更に、この照明室１３には、この白色発光ＬＥＤ１４…及び橙色発光ＬＥＤ１５…との間及び前記目盛部１２の一般部１２ａの裏面側に位置する橙色発光ＬＥＤ１５…及び、前記リング状照明表示部１６の裏面側に位置する橙色発光ＬＥＤ１５…との間に、遮光用の隔壁等が設けられていない。
【００３７】
次に、この実施の形態の計器の文字板照明構造の作用について説明する。
【００３８】
この実施の形態の計器の文字板照明構造では、前記文字板１１の表示部のうち、目盛部１２のレッドゾーン部８の裏面側に位置している前記白色発光ＬＥＤ１４…からの照明光によって、前記レッドゾーン部８が、裏面側から透過照明される。
【００３９】
前記白色発光ＬＥＤ１４…からの照明光は、このレッドゾーン部８の赤色印刷塗装層Ｆを通過する際に、赤色波長領域を透過させて、赤色となる。
【００４０】
また、前記文字板１１の表示部のうち、前記リング状照明表示部１６の赤色印刷塗装層Ｆの裏面側に位置する前記橙色発光ＬＥＤ１５…からの照明光が、この赤色印刷塗装層Ｆを通過する際に、赤色波長領域を透過させる。
【００４１】
この橙色発光ＬＥＤ１５…からの照明光は、赤色と認識される波長を殆ど含まないため、前記赤色とは、明らかに区別出来る赤橙色となって、前記リング状照明表示部１６が、赤橙色に発光しているように車室内の乗員に、視認される。
【００４２】
更に、前記文字板１１の表示部のうち、前記目盛部１２の一般部１２ａの橙色印刷塗装層Ｃの裏面側に位置する前記橙色発光ＬＥＤ１５…からの照明光が、橙色印刷塗装層Ｃを通過する際に、橙色波長領域を透過させて橙色となる。
【００４３】
この目盛部１２の一般部１２ａの橙色印刷塗装層Ｃの裏面側に位置する前記橙色発光ＬＥＤ１５…は、前記リング状照明表示部１６の赤色印刷塗装層Ｆの裏面側に位置する前記橙色発光ＬＥＤ１５…と同じものを使用出来る。
【００４４】
このため、発光ＬＥＤの色彩の種類を、前記白色発光ＬＥＤ１４及び橙色発光ＬＥＤ１５の２種類に減少させて、しかも、色彩に関する前記文字板１１に印刷される調光用印刷層の形成工程も、前記赤色印刷塗装層Ｆ及び橙色印刷塗装層Ｃの２色の塗装層を形成する工程のみの簡略化されたものとすることにより、製造コストの上昇を抑制出来る。
【００４５】
また、前記白色発光光源として、全て、白色発光ＬＥＤ１４…を用いるものに比して、比較的安価な橙色発光ＬＥＤ１５…を、文字板１１の大部分の面積のバックライト照明に用いて、白色発光ＬＥＤ１４の数量を減少させることができる。従って、この点においても、製造コストの上昇を抑制することが出来る。
【００４６】
従って、更に、安価に構成出来、３色の表示部の色分けが可能な計器の文字板照明構造が提供される。
【００４７】
更に、前記レッドゾーン部８の周囲では、不透過となるように印刷された黒色印刷層Ａ，Ｂ及びＭ等の各印刷層によって、この白色の照明光が遮断される。
【００４８】
また、橙色に透過するように印刷された橙色印刷層Ｃ（印刷イ）からなる印刷層では、この白色の照明光のうち、橙色の発光波長分布の部分のみが透過されて、にじむことなく、高いコントラストを有して、良好な視認性を与えることが出来る。
【００４９】
このため、前記開始点８ａ近傍の目盛部１２の一般部１２ａも、橙色の透過照明色を与えられて、車室内から視認される。
【００５０】
また、前記レッドゾーン部８以外の文字板１１の目盛部１２等の表示部である一般部１２ａ及び文字板１１全体では、前記複数の分散された橙色発光ＬＥＤ１５…の照明光によって、略均一にバックライト照明が行われる。
【００５１】
このため、前記白色発光ＬＥＤ１４に比して、比較的安価な橙色発光ＬＥＤ１５を用いて、文字板の略全域のバックライト照明を行うことが出来、製造コストの上昇が抑制される。
【００５２】
しかも、前記文字板１１の裏面側に設けられた一の照明室１３内に、白色発光ＬＥＤ１４…と、橙色発光ＬＥＤ１５…とが、隔壁を設けないで配置されている。
【００５３】
このため、白色発光ＬＥＤ１４が発光する白色の照明光は、前記不透過となるように印刷された黒色印刷層Ａ，Ｂ及びＭ等の印刷層によって、遮断されて、前記レッドゾーン部８の周囲に、にじむことが無い。
【００５４】
更に、前記目盛部１２の一般部１２ａの裏面側に位置する橙色発光ＬＥＤ１５…及び、前記リング状照明表示部１６の裏面側に位置する橙色発光ＬＥＤ１５…との間に、遮光用の隔壁等が設けられていない。
【００５５】
このため、前記隔壁等を形成することによって、発生する影等も無くなり、文字板１１全面に、均質なバックライト照明を行うことができる。
【００５６】
しかも、ある程度（例えば、開始点８ａを約６０００ｒｐｍ乃至７０００ｒｐｍの範囲内で適宜変更する場合）は、白色発光ＬＥＤ１４と橙色発光ＬＥＤ１５との配置を変更することなく、又は、一の照明室１３内で、若干の変更を行う（この場合、開始点８ａを、約５０００ｒｐｍ乃至８０００ｒｐｍの範囲内で変更可能）ことによって、前記文字板１１のレッドゾーン部８の印刷ロの領域を変更するだけで、車種やエンジンの種類に対応させることが出来る。
【００５７】
更に、前記リング状照明表示部１６の環状部分の幅寸法や形状を変更しても、照明室１３の形状や、前記白色発光ＬＥＤ１４…及び橙色発光ＬＥＤ１５…の配置を変更する必要がない。
従って、前記文字板１１では、全体や目盛部１２等の造形の自由度が向上して、例えば、他品種少量生産等に用いても好適である。
【００５８】
以上、図面を参照して、本発明の最良の実施の形態を詳述してきたが、具体的な構成は、この実施の形態に限らず、本発明の要旨を逸脱しない程度の設計的変更は、本発明に含まれる。
【００５９】
例えば、前記実施の形態では、表示部の一部として、円環状の前記リング状照明表示部１６を用いたものを示して、説明してきたが、特にこれに限らず、例えば、文字板１１の外周縁に沿うリング状照明表示部や、警告灯等の各種ランプ表示、及びこれらのランプ表示の境界線部分の照明等、前記橙色発光ＬＥＤ１５…が裏面側に設けられて、赤色波長領域を透過する赤色印刷塗装層Ｆを有するものであるならば、表示部の表示種類、形状、数量及び材質等が、特に限定されるものではない。  
【００６０】
また、前記白色発光ＬＥＤ１４…を、前記目盛部１２のうち、レッドゾーン部８の裏面側に設けるように構成したものを示して説明してきたが、特にこれに限らず、例えば、単数、２個或いは、４個以上の複数の前記白色発光ＬＥＤ１４を配置したり、ワーニングランプに適用する等、前記文字板１１の目盛部１２のレッドゾーン部８等の表示部の裏面側に位置させるものであるならば、白色発光ＬＥＤ１４の形状、数量、及び発光性質が限定されるものではない。
【図面の簡単な説明】
【００６１】
【図１】本発明の最良の実施の形態の計器の文字板照明構造を示し、全体の構成を説明するメータの文字板の正面図である。
【図２】実施の形態の計器の文字板照明構造を示し、文字板の構成を説明する基材の表裏面に施された塗装層を説明する模式的な断面図である。
【図３】実施の形態の計器の文字板照明構造で、文字板の基材の塗装層の色彩を説明する表図である。
【図４】発光ＬＥＤで、橙色、黄色、赤色の発光ＬＥＤの各発光波長分布を示すグラフ図である。
【図５】発光ＬＥＤで、白色の発光ＬＥＤの発光波長分布を示すグラフ図である。
【図６】ＸＹＺ表色系のｘｙ色度図を示し、単色光の軌跡上の数字が、波長（ｎｍ）を示す概略色彩区分け図である。
【図７】従来例の計器の文字板照明構造で、全体の構成を説明する正面図である。
【図８】従来例の計器の文字板照明構造で、文字板の基材の表裏面に施された印刷層の構成を説明する模式的な断面図である。
【符号の説明】
【００６２】
５                              基材
１０                            車両用メータ（計器）
１１                            文字板
表示部
８                              レッドゾーン部
１２                            目盛部
１２ａ                          一般部
１６                            リング状照明表示部
１３                            照明室
１４                            白色発光ＬＥＤ（白色発光光源）
１５                            橙色発光ＬＥＤ（橙色発光光源）
Ｃ                              橙色印刷塗装層
Ｆ                              赤色印刷塗装層
【図１】
2005257292.tif 000003
【図２】
2005257292.tif 000004
【図３】
2005257292.tif 000005
【図４】
2005257292.tif 000006
【図５】
2005257292.tif 000007
【図６】
2005257292.tif 000008
【図７】
2005257292.tif 000009
【図８】
2005257292.tif 000010